(57)【要約】      （修正有）【課題】部品点数を低減し製造コストを抑制しつつ、再利用しても衛生面が悪化することを防止できる生理用ナプキンを提供する。【解決手段】下着と身体との間に配置して使用される生理用ナプキン１０であって、外周方向に沿って連続して環状に形成された布製のナプキン本体１２を備えた構成とした。ナプキン本体が環状に形成されているため、生理用ナプキンを使用した状態で、ナプキン本体の身体に接触（対向）する第１使用面と、ナプキン本体の下着に接触（対向）する第２使用面と、第１使用面の裏面である第３使用面と、第２使用面の裏面である第４使用面の合計４つの使用面が形成されている。【選択図】図１
0003143625.tif 000002
【実用新案登録請求の範囲】
【請求項１】
下着と身体との間に配置して使用される生理用ナプキンであって、
外周方向に沿って連続して環状に形成された布製のナプキン本体を備えたことを特徴とする生理用ナプキン。
【請求項２】
前記ナプキン本体は、前記下着に当該ナプキン本体を取り付けるための羽根部を備えていることを特徴とする請求項１に記載の生理用ナプキン。
【請求項３】
前記ナプキン本体の一部に取り付け可能な布製の吸収体を備えていることを特徴とする請求項１又は２に記載の生理用ナプキン。
【請求項４】
前記吸収体は、前記ナプキン本体に一体形成されていることを特徴とする請求項３に記載の生理用ナプキン。
【請求項５】
前記吸収体の幅方向両端部は、前記ナプキン本体の外側又は内側にそれぞれ折り曲げられ相互に重ね合わされていることを特徴とする請求項４に記載の生理用ナプキン。
【請求項６】
前記ナプキン本体は、帯状部材の長手方向両端部同士を縫い合わせて形成され、
前記帯状部材の長手方向両端部同士の縫い合わせた縫合部が前記羽根部の近傍に位置していることを特徴とする請求項２乃至５のいずれか１項に記載の生理用ナプキン。
【考案の詳細な説明】
【技術分野】
【０００１】
本考案は、ショーツ等の下着に取り付ける生理用ナプキンに関する。
【背景技術】
【０００２】
従来から、生理用ナプキン（以下、適宜「ナプキン」と略称する。）は、吸水性樹脂を使用したいわゆる使い捨てタイプのものが使用されている。このような使い捨てタイプのナプキンは、使用することによりナプキンの素材と身体との接触部にかぶれやかゆみが生じること、また、使用済みのナプキンが環境に負荷を与えることなどの理由から、近年、布製生理用ナプキンの使用が広がりつつある。この布製生理用ナプキンは、洗濯すれば何度でも再利用が可能であること、局部が蒸れたり、かぶれたりすることが少ないこと、さらには、使い捨てのナプキンが環境に与える負荷を軽減することができるなどのメリットがある。
【０００３】
また、従来のナプキンは、ナプキンホルダと、ナプキンホルダに取り付ける中パッドと、を備えている。ナプキンホルダの前後には、中パッドを固定するためのポケットが設けられており、更に左右にはショーツに取り付けるための羽根部が設けられている。このナプキンは、ナプキンホルダのポケットに中パッドを装着し、羽根部を外側に回してショーツのクロッチ部分を挟んでホックで留めて使用する（下記特許文献１参照）。
【特許文献１】実公昭４８−５４６９７号
【考案の開示】
【考案が解決しようとする課題】
【０００４】
ところで、上記特許文献１に示された従来技術は、ナプキンホルダに中パッド装着用のポケットが必要になり、ナプキンの部品点数及び製造コストが増加する。また、ナプキンホルダのポケットの部分で２重構造になり、このナプキンを洗濯した場合には、ポケットの部分が洗い難くなる。また、たとえ、十分な時間をかけてナプキンを丁寧に洗濯した場合でも、ポケットの部分で厚みが厚くなるため、乾き難くなる。このように、使用済みのナプキンを洗濯して、再使用しようとしても、衛生面での不安が残るという問題が生じてしまう。
【０００５】
そこで、本考案は、部品点数を低減し製造コストを抑制しつつ、再利用しても衛生面が悪化することを防止できる生理用ナプキンを提供することを目的とする。
【課題を解決するための手段】
【０００６】
本願第１考案は、下着と身体との間に配置して使用される生理用ナプキンであって、外周方向に沿って連続して環状に形成された布製のナプキン本体を備えたことを特徴とする。
【０００７】
本願第１考案によれば、ナプキン本体が環状に形成されているため、生理用ナプキンを使用した状態で、ナプキン本体の身体に接触（対向）する第１使用面と、ナプキン本体の下着に接触（対向）する第２使用面と、第１使用面の裏面である第３使用面と、第２使用面の裏面である第４使用面の合計４つの使用面が形成されている。そして、第１使用面が使用により汚れた場合などには、下着側の第２使用面を身体側に位置させることにより、未使用状態（身体に未接触状態）の第２使用面を使用することができる。また、第２使用面が使用により汚れた場合には、環状のナプキン本体の表裏をひっくり返して第３使用面（第１使用面の裏面）を身体側に位置させることにより、未使用状態（身体に未接触状態）の第３使用面（第１使用面の裏面）を使用することができる。さらに、第３使用面が使用により汚れた場合には、第４使用面を身体側に位置させることにより、未使用状態（身体に未接触状態）の第４使用面（第２使用面の裏面）を使用することができる。このように、環状のナプキン本体をひっくり返すことにより、１つの生理用ナプキンで最大４つの使用面を使用することができる。
【０００８】
また、ナプキン本体の４つの使用面（第１使用面から第４使用面）を使用した後、洗濯することになるが、ナプキン本体が環状（輪状）の布製で形成されているため、４つの使用面に洗浄液を直接付着させるとともに洗濯水にさらすことができる。これにより、ナプキン本体を洗濯し易くすることができ、衛生面の改善することができる。また、ナプキンの洗濯後、ナプキンを乾燥させる必要があるが、この場合も、外気を４つの使用面（第１使用面から第４使用面）に同時かつ直接曝すことにより、４つの使用面の乾燥時間を短縮し、かつ確実に乾燥させることができる。これにより、ナプキン本体を乾燥し易くすることができ、衛生面を改善することができる。
【０００９】
また、ナプキン本体が環状に形成されているため、ナプキン本体の内部には、閉じられた空間部が形成される。このナプキン本体の内部の空間部に、吸収体などを挿入することができる。これにより、ナプキン本体にポケットなどの吸収体の装着手段を設けることなく、ナプキン本体に吸収体などを収容することができる。この結果、ナプキン本体の構成を簡略化することができ、ナプキンを洗濯し易く、かつ乾燥し易くすることができ、衛生面を改善することができる。
【００１０】
さらに、環状のナプキン本体の輪の形状を適宜変化させることにより、身体に合わせたナプキン本体の位置取りが可能になる。このように、身体にあわせてナプキン本体の形状あるいは姿勢を変化させることができ、使い勝手が向上する。
【００１１】
なお、本明細書の「生理用ナプキン」とは、生理時の経血を吸収する用途の他に、下り物、尿、座薬などを吸収する用途に使用されるものである。
【００１２】
本願第２考案は、本願第１考案に記載の生理用ナプキンにおいて、前記ナプキン本体は、前記下着に当該ナプキン本体を取り付けるための羽根部を備えていることを特徴とする。
【００１３】
本願第２考案によれば、ナプキン本体には羽根部が設けられているため、羽根部を下着に固定することにより、ナプキン本体を下着に対して位置決めすることができる。特に、羽根部を下着のクロッチなどに固定することにより、ナプキン本体を自在に変形させた場合でも、ナプキン本体が下着に対して位置ずれすることを防止できる。
【００１４】
本願第３考案は、本願第１考案又は第２考案に記載の生理用ナプキンにおいて、前記ナプキン本体の一部に取り付けられた布製の吸収体を備えていることを特徴とする。
【００１５】
本願第３考案によれば、環状のナプキン本体の一部に取付可能な布製の吸収体を備えているため、多量の経血、下り物などを確実に吸収させることができる。この際、ナプキン本体が環状に形成されているため、吸収体をナプキン本体の一部に巻き付けることができる。この結果、吸収体をナプキン本体に容易に取り付けることができる。
【００１６】
本願第４考案は、本願第３考案に記載の生理用ナプキンにおいて、前記吸収体は、前記ナプキン本体に一体形成されていることを特徴とする。
【００１７】
本願第４考案によれば、吸収体には環状のナプキン本体に一体形成されているため、生理用ナプキンの部品点数及び製造コストを削減することができる。
【００１８】
本願第５考案は、本願第４考案に記載の生理用ナプキンにおいて、前記吸収体の幅方向両端部は、前記ナプキン本体の外側又は内側にそれぞれ折り曲げられ相互に重ね合わされていることを特徴とする。
【００１９】
本願第５考案によれば、吸収体の幅方向両端部がナプキン本体の外側又は内側にそれぞれ折り曲げられ相互に重ね合わされているため、ナプキンの使用時に吸収体を厚み方向に厚くすることができる。これにより、多量の経血、下り物などを確実に吸収させることができる。また、ナプキンの使用後は、吸収体の幅方向両端部の折り曲げを解消して洗濯することにより、吸収体の汚れを確実に落とすとともに、乾燥し易くすることができる。これにより、吸収体の衛生面を改善することができる。
【００２０】
本願第６考案は、本願第２考案乃至第５考案のいずれか１項に記載の生理用ナプキンにおいて、前記ナプキン本体は、帯状部材の長手方向両端部同士を縫い合わせて形成され、前記帯状部材の長手方向両端部同士の縫い合わせた縫合部が前記羽根部の近傍に位置していることを特徴とする。
【００２１】
本願第６考案によれば、帯状部材の長手方向両端部同士の縫い合わせた縫合部が羽根部の近傍に位置しているため、羽根部を下着に固定したときに、身体の反対側になる下着側に縫合部（縫い目）を位置させることができる。これにより、縫合部の縫い目が身体に直接触れてしまうことを防止できる。この結果、使用者が違和感、あるいは不快感を感じてしまうことを防止できる。
【考案の効果】
【００２２】
本考案によれば、部品点数を低減し製造コストを抑制しつつ、再利用しても衛生面が悪化することを防止できる。
【考案を実施するための最良の形態】
【００２３】
次に、本考案の第１実施形態に係る生理用ナプキンについて、図面を参照して説明する。
【００２４】
図１乃至図５に示すように、生理用ナプキン１０は、環状のナプキン本体１２を備えている。ナプキン本体１２は、布製のものであり、例えば、綿、防水布、竹布などで構成されている。環状のナプキン本体１２は、自在に変形させることが可能であり、主に、身体に接触する４つの使用面を備えている。詳細には、４つの使用面は、ナプキン本体１２の表側であって後述の羽根部１４が対向する位置にある第１使用面１２Ａと、ナプキン本体１２の表側であって羽根部１４側の位置にある第２使用面１２Ｂと、ナプキン本体１２の裏側であって第１使用面１２Ａの裏面側に位置する第３使用面１２Ｃと、ナプキン本体１２の裏側であって第２使用面１２Ｂの裏面側に位置する第４使用面１２Ｄと、で構成されている。このため、第１使用面１２Ａが身体に触れるように生理用ナプキン１０を下着に配置することができ、また、第２使用面１２Ｂが身体に触れるように生理用ナプキン１０を下着に配置することができ、さらに、生理用ナプキン１０の表裏をひっくり返して第３使用面１２Ｃが身体に触れるようにすることができ、さらに、第４使用面１２Ｄが身体に触れるように生理用ナプキン１０を下着に配置することができる。このように、生理用ナプキン１０のナプキン本体１２の４つの使用面１２Ａ、１２Ｂ、１２Ｃ、１２Ｄを順番に使用することが可能になる。
【００２５】
環状のナプキン本体１２には、ナプキン本体１２の幅方向両端端部の一部からそれぞれ幅方向外側に突出した一対の羽根部１４が接続されている。この羽根部１４は、ナプキン本体１２と一体形成されていてもよく、また、ナプキン本体１２とは別体に構成してナプキン本体１２に縫い合わせて接続するようにしてもよい。羽根部１４は、自在に変形可能な布製（例えば、綿、防水布、竹布など）で構成されている。また、各羽根部１４には、相互に連結可能な固定具（例えば、スナップボタン）１６が取り付けられている。これにより、図６に示すように、ナプキン本体１２をショーツＳのクロッチ部分Ｓ１に載せて各羽根部１４をクロッチ部分Ｓ１の外側（身体側と反対側）に回して、固着具を相互に連結することにより、生理用ナプキン１０をショーツＳに対して位置決めすることができる。
【００２６】
ここで、ナプキン本体１２は、後述する帯状部材１８の長手方向両端部同士を糸などで縫い合わせて環状となるように形成されている。このため、ナプキン本体１２の表面には、ナプキン本体１２の幅方向に沿って直線状に延びた縫合部２０が形成されるが、この縫合部２０が羽根部１４の近傍に位置するように形成されている。このため、上述した要領で、生理用ナプキン１０をショーツＳに取り付けたときに、常に、ナプキン本体１２の縫合部２０が下着側（下着に接触する部位）に位置し、身体側（身体に接触する部位）に位置することがないため、身体に縫合部２０が接触してしまうことを防止できる。
【００２７】
次に、生理用ナプキン１０（ナプキン本体１２）の製造方法について説明する。図７及び図８に示すように、ナプキン本体１２は、幅方向両端部に一対の羽根部１４が一定形成された帯状部材１８の長手方向（幅方向に対して直交する方向）両端部同士を糸などで縫い合わせて環状にして形成されている。上述したように、ナプキン本体１２の長手方向両端部同士を縫合すると、ナプキン本体１２に縫合部２０が形成されるが、この縫合部２０が羽根部１４の近傍に位置するように、ナプキン本体１２に対して羽根部１４が位置決めされている。なお、ナプキン本体１２の縫合部２０では、糸などが表面に露出している。
【００２８】
また、図９に示すように、ナプキン本体１２と、一対の羽根部１４と、を独立した別体で構成し、両者を縫い合わせることにより、連結してもよい。すなわち、生理用ナプキン１０は、ナプキン本体１２を構成する第１帯状部材２４と、ナプキン本体１２の一部を構成するとともに一対の羽根部１４が形成された第２帯状部材２６と、で構成されている。そして、第１帯状部材２４の長手方向一方側端部と第２帯状部材２６の長手方向一方側端部を糸などで縫い合わせ、第１帯状部材２４の長手方向他方側端部と第２帯状部材２６の長手方向他方側端部を糸などで縫い合わせて、全体として環状となるように形成されている。ここで、ナプキン本体１２には２つの縫合部２８、３０が形成されることになるが、２つの縫合部２８、３０は、羽根部１４の近傍に位置するように第２帯状部材２６の長手方向長さが設定されている。
【００２９】
なお、ナプキン本体１２は、１枚の布で形成されている構成に限られることはなく、例えば、成形型で同型のものを複数枚（例えば、２枚）成形し、相互に重ね合わせて縁部を適宜縫い合わせていくことにより、厚みが厚いナプキン本体１２を成形することができる。
【００３０】
以上のように、ナプキン本体１２の長手方向両端部を糸などにより縫うことにより、環状のナプキン本体１２を容易に製造することができる。
【００３１】
図１１及び図１２に示すように、生理用ナプキン１０は、ナプキン本体１２に取り付けられる吸収体２２を備えている。吸収体２２は、ナプキン本体１２と同様に、布製で構成されており、例えば、綿、防水布、竹布などで構成されている。吸収体２２は、幅方向両端部がそれぞれ折り曲げられ、かつ相互に重なるようにして使用される。吸収体２２の幅方向両端部がそれぞれ折り曲げられ、かつ相互に重なるようにした状態では、吸収体２２は３層構造になり、厚みが増加する。
【００３２】
このように、本実施形態の生理用ナプキン１０は、ナプキン本体１２を構成する１枚の布と、吸収体２２を構成する１枚の布との、最小限で２枚の布が存在すれば、製造することができる。これにより、比較的少ない量の布で生理用ナプキン１０を製造することができるため、材料費を低減することができる。この結果、生理用ナプキン１０の製造コストを低減できる。
【００３３】
ここで、ナプキン本体１２と吸収体２２との組付け方法について説明する。
図１３に示すように、吸収体２２をナプキン本体１２の第１使用面１２Ａの上側に置き、吸収体２２の幅方向両端部を第１使用面１２Ａの裏面側になる第３使用面１２Ｃ側（ナプキン本体１２の内側）に反対方向から折り曲げて相互に重なるように配置することにより、吸収体２２をナプキン本体１２に容易に取り付けることができる。なお、吸収体２２をナプキン本体１２の第３使用面１２Ｃ側（内側）に配置し、吸収体２２の幅方向両端部を第１使用面１２Ａ側（ナプキン本体１２の外側）に反対方向から折り曲げて相互に重なるように配置することにより、吸収体２２をナプキン本体１２に容易に取り付けることもできる。
【００３４】
また、図１４に示すように、吸収体２２が接触する身体の形状、経血、下り物の量、座薬のこぼれ量などに応じて、吸収体２２の幅方向両端部の折り曲げ方を工夫することにより、吸収体２２の幅方向の寸法を調整することができる。これにより、経血及び下り物の量が多く、また、座薬のこぼれ量が多い場合には、吸収体２２の幅方向寸法を大きくすることができ、経血、下り物及び座薬の漏れを防止することができる。また、尿失禁がある使用者が使用することにより、尿漏れを防止できる。
【００３５】
次に、本考案の第１実施形態に係る生理用ナプキン１０の作用及び効果について説明する。
【００３６】
図６に示すように、生理用ナプキン１０として、ナプキン本体１２を単体で使用する場合には、一対の羽根部１４をショーツＳのクロッチ部分Ｓ１の外側に折り曲げて両者を重ね合わせ、双方の固定具（スナップボタンなど）１６を連結する。これにより、ナプキン本体１２がショーツＳに対して位置決めされる。このとき、ナプキン本体１２がショーツＳのクロッチ部分Ｓ１に載せられた状態であり、ナプキン本体１２の第１使用面１２Ａが身体側に位置し、第２使用面１２ＢがショーツＳのクロッチ部分Ｓ１と面接している状態になる。このように、生理用ナプキン１０をショーツＳに取り付けることにより、ナプキン本体１２の第１使用面１２Ａが身体に接触する。
【００３７】
図１０に示すように、ナプキン本体１２の第１使用面１２Ａの使用後は、生理用ナプキン１０をショーツＳから取り外し、第１使用面１２ＡをショーツＳのクロッチ部分Ｓ１に面接させ、第２使用面１２Ｂを身体側に配置することにより、未使用状態の第２使用面１２Ｂを使用することができる。
【００３８】
図１０に示すように、ナプキン本体１２の第２使用面１２Ｂの使用後は、生理用ナプキン１０をショーツＳから取り外し、ナプキン本体１２の表裏をひっくり返して、第４使用面１２ＤをショーツＳのクロッチ部分Ｓ１に面接させ、第３使用面１２Ｃを身体側に配置することにより、未使用状態の第３使用面１２Ｃを使用することができる。このとき、羽根部１４をショーツＳのクロッチ部分Ｓ１に折り曲げ、固着具同士を連結させることにより、生理用ナプキン１０をショーツＳに対して位置決めすることができる。
【００３９】
図１０に示すように、ナプキン本体１２の第２使用面１２Ｂの使用後は、生理用ナプキン１０をショーツＳから取り外し、第３使用面１２ＣをショーツＳのクロッチ部分Ｓ１に面接させ、第４使用面１２Ｄを身体側に配置することにより、未使用状態の第４使用面１２Ｄを使用することができる。
【００４０】
以上のように、ナプキン本体１２を環状にすることにより、１つの生理用ナプキン１０に４つの使用面１２Ａ、１２Ｂ、１２Ｃ、１２Ｄを形成することができ、それぞれの使用面１２Ａ、１２Ｂ、１２Ｃ、１２Ｄを順番に使用することにより、１つの生理用ナプキン１０で合計４回の使用が可能になる。
【００４１】
また、１つの生理用ナプキン１０で合計４回使用されると、生理用ナプキン１０を洗濯することによるが、生理用ナプキン１０を洗濯するときに、４つの使用面１２Ａ、１２Ｂ、１２Ｃ、１２Ｄが同時かつ直接、洗浄液に曝され、洗浄できる。これにより、生理用ナプキン１０を洗浄し易くなり、生理用ナプキン１０を短時間でかつきれいに洗濯することができる。この結果、生理用ナプキン１０の衛生状態を向上させることができる。
【００４２】
また、生理用ナプキン１０を洗濯した後、乾燥させる場合でも、４つの使用面１２Ａ、１２Ｂ、１２Ｃ、１２Ｄが同時かつ直接、外気に曝される。これにより、生理用ナプキン１０を乾燥させ易くすることができ、４つの使用面１２Ａ、１２Ｂ、１２Ｃ、１２Ｄを短時間で乾燥させることができる。この結果、生理用ナプキン１０の衛生状態を向上させることができる。
【００４３】
また、図６に示すように、生理用ナプキン１０の使用時には、重力の影響を受けて、ナプキン本体１２の第３使用面１２Ｃと第４使用面１２Ｄとが接触する状態で使用されるが、結果として、ナプキン本体１２の第３使用面１２Ｃと第４使用面１２Ｄとが重なる分だけ、ナプキン本体１２の厚みが厚くなる。このように、ナプキン本体１２の形状を環状にすることにより、使用時には厚みを厚くした状態で使用することができる。この結果、使用者の経血や下り物を確実に吸収することができるとともに、上述のように生理用ナプキン１０の洗濯時にはナプキン本体１２を確実に洗浄できかつ確実に乾燥させることができる。この結果、生理用ナプキン１０の液体吸収機能の向上と、衛生面の向上と、を同時に実現できる。
【００４４】
また、ナプキン本体１２が環状に形成されているため、ナプキン本体１２の一部に吸収体２２を取り付けたり、ナプキン本体１２の内部に吸収体２２を配置させることができる。これにより、ナプキン本体１２に吸収体２２を取り付けるためのポケットなどが不要になり、ナプキン本体１２の部品点数を削減し、かつ製造コストを低減することができる。
【００４５】
さらに、羽根部１４によりナプキン本体１２がショーツＳに対して固定されているため、ナプキン本体１２をショーツＳに対して固定した状態で、ナプキン本体１２の形状を自在変形させることができる。これにより、生理用ナプキン１０のショーツＳに対する位置ずれを防止した状態で、使用者の身体の形状やナプキン本体１２が必要な部位にナプキン本体１２を位置させることができる。この結果、生理用ナプキン１０が使い易くなる。
【００４６】
また、ナプキン本体１２を構成する帯状部材１８の長手方向両端部同士を縫い合わせた縫合部が羽根部１４の近傍に位置しているため、羽根部１４を下着に固定したときに、身体の反対側になる下着側に縫合部２０を位置させることができる。これにより、縫合部２０の縫い目が身体に直接触れてしまうことを防止できる。この結果、使用者が違和感、あるいは不快感を感じてしまうことを防止できる。さらに、ナプキン本体１２は布製で構成されているため、その表面に凸凹が発生することがない。これにより、ナプキン本体１２に接触する身体の違和感を防止でき、また、身体への刺激を低減することができる。
【００４７】
また、使用者は、経血及び下り物の量が多くなるときや、座薬のこぼれ量が多くなるときなど、必要に応じて、吸収体２２をナプキン本体１２に巻き付けることができる。このように、吸収体２２を併せて用いることにより、これらの液体を吸収体２２に効率良く吸収させることができ、これらの液体が漏れてしまうことを防止できる。
【００４８】
また、吸収体２２は、環状のナプキン本体１２に巻き付けるだけでナプキン本体１２に対して位置決めすることができるため、使用者の姿勢に変化が生じても、吸収体２２がナプキン本体１２（身体）に対して位置ずれすることを防止できる。
【００４９】
さらに、生理用ナプキン１０のナプキン本体１２が環状に形成されているため、外観的に生理用ナプキンと認識され難くなる。これにより、生理用ナプキン１０の洗濯後、生理用ナプキン１０を、躊躇なく、屋外で日干しすることができる。この結果、生理用ナプキン１０を太陽光（紫外線）で乾燥させることができ、消毒効果が得られて、衛生面の一層の向上を図ることができる。
【００５０】
また、生理用ナプキン１０及び吸収体２２の材質として、特に竹繊維を使用することにより、使用者への肌への刺激を小さくしつつ、防臭効果及び抗菌効果を得ることができる。
【００５１】
次に、上記実施形態の生理用ナプキン１０の各変形例について説明する。
なお、上記実施形態の生理用ナプキン１０の構成と重複する構成には同符号を付し、適宜、説明を省略する。
【００５２】
図１５に示すように、第１変形例の生理用ナプキン３２として、ナプキン本体１２の第２使用面１２Ｂ（第４使用面１２Ｄ）の幅方向両端部から幅方向外側に突出した突出片３４が形成されている。この突出片３４を形成することにより、ショーツＳのクロッチ部分Ｓ１の表面を覆うことができる。これにより、経血や下り物、座薬などによりショーツＳが汚れてしまうことを防止できる。なお、突出片３４は、必要に応じて、ナプキン本体１２の第１使用面１２Ａ（第３使用面１２Ｃ）の幅方向両端部から幅方向外側に形成してもよい。
【００５３】
図１６及び図１７に示すように、第２変形例の生理用ナプキン３６は、吸収体３８がナプキン本体１２に一体形成されている。具体的には、ナプキン本体１２の幅方向両端部から幅方向外側に向かって、吸収体３８を構成する吸収体羽根部４０がそれぞれ一体形成されている。そして、この生理用ナプキン３６を使用する場合には、吸収体羽根部４０をナプキン本体１２の外側又は内側に折り曲げるようにして相互に重ね合わせることにより、厚みを持たせた吸収体３８を構成することができる。かかる構成によれば、生理用ナプキン３６の部品点数を削減でき、生理用ナプキン３６を洗濯し易すくでき、また、吸収体３８の紛失を防止できる。
【００５４】
図１８及び図１９に示すように、第３変形例の生理用ナプキン４２は、第１変形例と第２変形例とを合わせたものであり、ナプキン本体１２の第２使用面１２Ｂ（第４使用面１２Ｄ）の幅方向両端部から幅方向外側に突出した突出片３４が形成されているとともに、ナプキン本体１２の幅方向両端部から幅方向外側に向かって、吸収体３８を構成する吸収体羽根部４０がそれぞれ一体形成されている。第３変形例によれば、経血や下り物、座薬などによりショーツＳが汚れてしまうことを防止できるとともに、生理用ナプキン４２の部品点数を削減でき、生理用ナプキン４２を洗濯し易すくでき、また、吸収体３８の紛失を防止できる。さらに、ナプキン本体１２の上下が反対になるように配置した場合でも、突出片３４を折り曲げて吸収体３８を構成することができ、また、吸収体羽根部４０がショーツＳのクロッチ部分Ｓ１の表面を覆うことによりショーツＳの汚れを防止できる。すなわち、突出片３４及び吸収体羽根部４０は、ショーツＳの汚れ防止と吸収体としての機能を兼備することになる。
【図面の簡単な説明】
【００５５】
【図１】本考案の第１実施形態に係る生理用ナプキンの斜視図である。
【図２】本考案の第１実施形態に係る生理用ナプキンの平面図である。
【図３】本考案の第１実施形態に係る生理用ナプキンの背面図（裏面図）である。
【図４】本考案の第１実施形態に係る生理用ナプキンのナプキン本体の各使用面が重なった状態を示す側面図である。
【図５】本考案の第１実施形態に係る生理用ナプキンのナプキン本体の各使用面が離間した状態を示す側面図である。
【図６】本考案の第１実施形態に係る生理用ナプキンの使用状態を示した斜視図である。
【図７】本考案の第１実施形態に係る生理用ナプキンのナプキン本体が展開した状態の展開図である。
【図８】本考案の第１実施形態に係る生理用ナプキンの製造工程の一例を示した工程図である。
【図９】本考案の第１実施形態に係る生理用ナプキンの製造工程の変形例を示した工程図である。
【図１０】本考案の第１実施形態に係る生理用ナプキンの取扱方法を示した説明図である。
【図１１】本考案の第１実施形態に係る生理用ナプキンの吸収体（非折曲状態）の斜視図である。
【図１２】本考案の第１実施形態に係る生理用ナプキンの吸収体（折曲状態）の斜視図である。
【図１３】本考案の第１実施形態に係る生理用ナプキンのナプキン本体に吸収体を組み付けた状態を示す斜視図である。
【図１４】図１３の吸収体の別の折曲方法を示した斜視図である。
【図１５】本考案の第１実施形態に係る生理用ナプキンの第１変形例を示した斜視図である。
【図１６】本考案の第１実施形態に係る生理用ナプキンの第２変形例を示した斜視図である。
【図１７】本考案の第１実施形態に係る生理用ナプキンの第２変形例を展開した状態を示す展開図である。
【図１８】本考案の第１実施形態に係る生理用ナプキンの第３変形例を示した斜視図である。
【図１９】本考案の第１実施形態に係る生理用ナプキンの第３変形例を展開した状態を示す展開図である。
【符号の説明】
【００５６】
１０      生理用ナプキン
１２      ナプキン本体
１４      羽根部
１８      帯状部材
２０      縫合部
２２      吸収体
３２      生理用ナプキン
３６      生理用ナプキン
３８      吸収体
４２      生理用ナプキン
【図１】
0003143625.tif 000003
【図２】
0003143625.tif 000004
【図３】
0003143625.tif 000005
【図４】
0003143625.tif 000006
【図５】
0003143625.tif 000007
【図６】
0003143625.tif 000008
【図７】
0003143625.tif 000009
【図８】
0003143625.tif 000010
【図９】
0003143625.tif 000011
【図１０】
0003143625.tif 000012
【図１１】
0003143625.tif 000013
【図１２】
0003143625.tif 000014
【図１３】
0003143625.tif 000015
【図１４】
0003143625.tif 000016
【図１５】
0003143625.tif 000017
【図１６】
0003143625.tif 000018
【図１７】
0003143625.tif 000019
【図１８】
0003143625.tif 000020
【図１９】
0003143625.tif 000021